(57)【要約】【課題】  その目的は、外壁材とコンクリートスラブとの間隙に配置する薄帯鋼板を安定して配置できると共に、強固に固定するための固定金具を提供することにある。【解決手段】  外壁材とコンクリートスラブとの間隙に沿って配置し、耐火用層間ふさぎとして使用する薄帯鋼板を固定するための固定金具であり、前記コンクリートスラブの上面に掛止する掛止部と、該掛止部から前記コンクリートスラブの側面に沿う垂下部と、該垂下部から斜め上方に延伸して前記外壁材に弾性的に当接する支持部とを薄鋼板により一体的に折曲げ加工して形成し、前記支持部の先端には前記薄帯鋼板を載せるための載置片と、固定するための押え片を設けた。【選択図】図１
2019152088.tif 000002
【特許請求の範囲】
【請求項１】
外壁材とコンクリートスラブとの間隙に配置し、耐火用層間ふさぎとして使用する薄帯鋼板を固定するための固定金具であり、前記コンクリートスラブの上面に掛止する掛止部と、該掛止部から前記コンクリートスラブの側面に沿う垂下部と、該垂下部から斜め上方に延伸して前記外壁材に弾性的に当接する支持部とを備え、前記掛止部、前記垂下部、前記支持部が薄鋼板により一体的に折曲げ加工して一体的に形成されており、前記支持部の先端には前記薄帯鋼板を載せるための載置片と、前記薄帯鋼板を固定するための押え片を設けたことを特徴とする固定金具。
【請求項２】
請求項１の固定金具において、前記支持部の前記コンクリートスラブ側かつ上側に向く方向に折り曲げて形成された前記載置片と、前記支持部の前記先端の他部を、前記外壁材に沿って上側に向く方向に折り曲げられて形成された前記押え片を備え、前記載置片と前記押え片とで前記薄帯鋼板の外壁材側の端部を挟んで固定するようになっていることを特徴とする固定金具。
【発明の詳細な説明】
【技術分野】
【０００１】  この発明は、カーテンウォール工法による構築物の耐火仕様として、上階への延焼と煙の上昇を防止するため、外壁材とコンクリートスラブとの間隙に薄帯鋼板、その上にモルタル、ロックウールなどを詰めて塞いでいるが、その塞ぐ工程、所謂、層間ふさぎに際し、前記薄帯鋼板を固定する固定金具に関する。
【背景技術】
【０００２】  従来から、外壁材を用いる構築物の層間ふさぎとして、モルタルやロックウールを充填していたが、それら充填材を受ける金具として、実開平０４−１１１８５７号や実開平０６−６７６２８号、特開２００２−２４２３３４号のように、丸鋼、あるいは、薄鋼板を折り曲げ加工し、コンクリートスラブの上面に掛止する掛止部と、該掛止部からコンクリートスラブの側面に沿う垂下部と、該垂下部から斜め上方に延伸して前記外壁材に弾性的に当接する支持部からなる支持金具が開示されている。
また、今般、特にカーテンウォール工法において構築物の耐火性能を向上させる目的で、充填するモルタルやロックウールの下側に薄帯鋼板を敷き詰める仕様が採用され始めたため、特開２０１０−２６１２３２号のように、前記支持金具の垂下部に間隙に配置する薄帯鋼板を支持する支持片を形成した金具が開示されている。【０００３】  上記従来の方法において、特開２０１０−２６１２３２号では、支持金具の垂下部に間隙に配置する薄帯鋼板を支持する支持片を形成した金具が開示されているが、この支持片は薄帯鋼板を載置して支持するためのものであり、固定することができない。すなわち、地震等により建物に層間変位が生じ、外壁とコンクリートスラブの間隙の幅に一時的にでも変位が生じた場合に薄帯鋼板にズレや隙間が生じる場合があり、それらの原因が耐火性能に影響を及ぼす可能性あるなどの問題点があった。
【先行技術文献】
【特許文献】
【０００４】
【特許文献１】実開平０４−１１１８５７号
【特許文献２】実開平０６−６７６２８号
【特許文献３】特開２００２−２４２３３４号
【特許文献４】特開２０１０−２６１２３２号
【発明の概要】
【発明が解決しようとする課題】
【０００５】  この発明は上記従来の課題に鑑みなされたもので、その目的は、外壁材とコンクリートスラブとの間隙に配置する薄帯鋼板を安定して配置できると共に、強固に固定するための固定金具を提供することにある。
【課題を解決するための手段】
【０００６】  その手段として、本発明は、外壁材とコンクリートスラブとの間隙に配置し、耐火用層間ふさぎとして使用する薄帯鋼板を固定するための固定金具であり、前記コンクリートスラブの上面に掛止する掛止部と、該掛止部から前記コンクリートスラブの側面に沿う垂下部と、該垂下部から斜め上方に延伸して前記外壁材に弾性的に当接する支持部とを備え、前記掛止部、前記垂下部、前記支持部が薄鋼板により一体的に折曲げ加工して一体的に形成されており、前記支持部の先端には前記薄帯鋼板を載せるための載置片と、前記薄帯鋼板を固定するための押え片を設けた。
【発明の効果】
【０００８】  本発明の耐火用層間ふさぎ用の固定金具によれば、コンクリートスラブの上面に掛止する掛止部と、該掛止部から前記コンクリートスラブの側面に沿う垂下部と、該垂下部から斜め上方に延伸して前記外壁材に弾性的に当接する支持部とを薄鋼板により一体的に折曲げ加工して形成したため、外壁材とコンクリートスラブの間隙に圧入することで金具自体を所定の高さ位置に固定することができる。
さらに、支持部の先端に薄帯鋼板を載せるための載置片を設けたことで、薄帯鋼板を安定して載置することができると共に、押え片を設けたことで確実に固定することができる。
すなわち、火災発生時に下階からの上昇気流によって薄帯鋼板が浮き上がってズレないようにして耐火性能を確実に保持することができるなど、上記従来の課題を解消することができる。
【図面の簡単な説明】
【０００９】
【図１】本発明の実施形態を示す斜視図である。
【図２】本発明の実施形態を示す側面図である。
【図３】本発明の実施形態の使用状態を示す断面図である。
【図４】本発明の実施形態の使用状態を示す斜視図である。
【発明を実施するための形態】
【００１０】  本発明の実施の形態を図面により詳細に説明する。
図１は本発明の耐火用層間ふさぎ用の固定金具の実施形態を示す斜視図、図２は実施形態を示す側面図である。
図２に示すように、１はコンクリートスラブＡの上方Ａ１から側面Ａ２に垂下されるように架設され、外壁材ＢとコンクリートスラブＡとの間隙に挿入される薄帯鋼板Ｃを支持する固定金具である。
図１に示すように、１０は固定金具１の掛止部であり、コンクリートスラブの上面Ａ１に掛止させて、固定金具１自体の下方への沈みを防止するものである。
１１は該掛止部１０からコンクリートスラブＡの側面Ａ２に沿って垂下した垂下部であり、１２は垂下部１１の下端から斜め上方に延伸した支持部である。
垂下部１１と支持部１２とで略レ字状になっており、支持部１２の先端１２ａが外壁材に弾性的に当接すると共に、前記垂下部１１がコンクリートスラブＡの側面Ａ２に当接して反力となることで、コンクリートスラブと外壁材の隙間に固定金具１を固定することができる。
１３、１３は支持部１２の先端１２ａに設けた載置部、１４は押え片であり、支持部１２の先端１２ａに３つの突出した片を形成して、両側の２片を内側に向かって屈曲させて載置部１３、１３とし、中央の１片を前記垂下部１１とほぼ平行になるように形成して押え片１４とする。
押え片１４の先端にはドライバー等の工具で押える際に工具の先端が係るように係止溝１５を形成する。
また、これらの構成は適宜幅に形成した薄鋼板により一体的に折曲げ加工して形成したものである。
【００１１】  次に本発明の実施形態の使用方法を、図３、図４を用いて説明する。
コンクリートスラブＡと外壁材Ｂの間隙に沿って上方から本発明の固定金具の垂下部１１をコンクリートスラブＡの側面Ａ２、及び、支持部１２を外壁材Ｂにそれぞれ沿った状態で圧入し、コンクリートスラブＡの上面に掛止部１０を掛けた状態で固定する。同様にして、コンクリートスラブＡと外壁材Ｂの間隙に沿って本発明の固定金具を複数個、所定の間隔で設置する。
次に複数個、所定の間隔で配置された固定金具の載置部１３に、薄帯鋼板Ｃの長手方向の一端をそれぞれ載置し、他端は垂下部１１側に立てかけた状態で配置をする。
更に、各固定金具の押え片１４を、係止溝１５にドライバーの先端を引っ掛けて下方向へ折り曲げて押さえることで、薄帯鋼板Ｃ全体を確実に固定することができる。
薄帯鋼鈑Ｃの設置後、その上方の空間にロックウールＤを充填して層間ふさぎの工程を完了する。
本発明によれば、薄帯鋼板Ｃを載置片１３と押え片１４を挟んで固定しているので、固定金具１に薄帯鋼板Ｃを、確実に固定でき、火災発生時に下階からの上昇気流によって薄帯鋼板Ｃが浮き上がって、ずれることを抑制でき、耐火性能を確実に保持することができる。
また、本発明では支持部１２の先端１２ａを折り曲げて載置片１３と押え片１４を形成することで、この折り曲げた部分が外壁材Ｂに接触するので、支持部１２の先端１２ａのエッジが外壁材Ｂに接触する場合に比較して、コンクリートスラブＡと外壁材Ｂの間隙の幅の変動に追従して、支持部１２が上下動し易い。薄帯鋼板Ｃの外壁材側の端部Ｃ２が、載置片１３と押え片１４で挟んで固定され、薄帯鋼板Ｃのスラブウレタン側の端部Ｃ１が、垂下部１１に当接しているので、コンクリートスラブＡと外壁材Ｂの間隙の幅に変位が生じた場合に、間隙の幅の変位に滑らかに追従して薄帯鋼板Ｃが傾きを変化させることができるので、薄帯鋼板ＣがコンクリートスラブＡと外壁材Ｂの間隙を素早く塞ぐことができる。
具体的には、コンクリートスラブＡと外壁材Ｂの間隙の幅に変位が生じた場合に、支持部１２の先端１２ａが外壁材Ｂの変位に応じて上下動する。そして支持部１２の先端１２ａの上下動に追従して、薄帯鋼板Ｃの外壁材側の端部Ｃ２が上下動する。
特に、薄帯鋼板Ｃのコンクリートスラブ側の端部Ｃ１が，コンクリートスラブではなく、垂下部１１に部分的に接触しているだけであり、外壁材側の端部Ｃ２が、外壁材Ｂではなく、支持部１２の先端１２ａに部分的に接触しているだけであり、どちらにも部分的に接触しているだけであり、コンクリートスラブＡが外壁材Ｂの間隙の幅に一時的にでも変位が生じた場合に、薄帯鋼板Ｃが追従して素早く傾きを変化できる。また、薄帯鋼板Ｃのコンクリートスラブ側の端部Ｃ１が、垂下部１１に当接しているだけであり、薄帯鋼板Ｃのコンクリートスラブ側の端部Ｃ１も垂下部１１の表面を滑って上下動することができるので、支持部１２の先端１２ａの上下動によって薄帯鋼板Ｃの外壁材側の端部Ｃ２が上下動した時に、薄帯鋼板Ｃのコンクリートスラブ側の端部Ｃ１も上下方向に滑らかに追従して移動しやすくなっている。
本実施例では適宜幅に形成した薄鋼板から、掛止部１０、垂下部１１、支持部１２及び載置片１３及び押え片１４を一体的に折り曲げ加工して、形成したものであり、容易に固定金具１を製造できる。
本実施例では、両側の２片を載置片１３とし、中央の１片を押え片１４としたが、逆にしてもよい。また、載置片１３と押え片１４とで３つの片としたが、この数に限られるものではない。
押え片１４の先端の係止溝１５はドライバー等の工具で押え片１４を押さえることが容易にできれば良いものであり、この構造に限られない。
なお、薄帯鋼板Ｃのコンクリートスラブ側の端部Ｃ１が垂下部１１に接触する部分を接着テープなどで固定しても良い。なおこの場合でも、コンクリートスラブＡと外壁材Ｂとの間隙の幅は、地震などで一時的にでも変動する場合があり、このような変動に対しても、本発明の固定金具は上記で述べたような優れた効果を発揮できる。
【符号の説明】
【００１２】  １    固定金具
１０  掛止部
１１  垂下部
１２  支持部
１３  載置部
１４  押え片
１５  係止溝
Ａ    コンクリートスラブ
Ｂ    外壁材
Ｃ    薄帯鋼板
Ｄ    ロックウール
【図１】
2019152088.tif 000003
【図２】
2019152088.tif 000004
【図３】
2019152088.tif 000005
【図４】
2019152088.tif 000006
【手続補正書】
【提出日】平成30年12月26日(2018.12.26)
【手続補正１】
【補正対象書類名】明細書
【補正対象項目名】全文
【補正方法】変更
【補正の内容】
【発明の詳細な説明】
【技術分野】
【０００１】  この発明は、カーテンウォール工法による構築物の耐火仕様として、上階への延焼と煙の上昇を防止するため、外壁材とコンクリートスラブとの間隙に薄帯鋼板、その上にモルタル、ロックウールなどを詰めて塞いでいるが、その塞ぐ工程、所謂、層間ふさぎに際し、前記薄帯鋼板を固定する固定金具に関する。
【背景技術】
【０００２】  従来から、外壁材を用いる構築物の層間ふさぎとして、モルタルやロックウールを充填していたが、それら充填材を受ける金具として、実開平０４−１１１８５７号や実開平０６−６７６２８号、特開２００２−２４２３３４号のように、丸鋼、あるいは、薄鋼板を折り曲げ加工し、コンクリートスラブの上面に掛止する掛止部と、該掛止部からコンクリートスラブの側面に沿う垂下部と、該垂下部から斜め上方に延伸して前記外壁材に弾性的に当接する支持部からなる支持金具が開示されている。
また、今般、特にカーテンウォール工法において構築物の耐火性能を向上させる目的で、充填するモルタルやロックウールの下側に薄帯鋼板を敷き詰める仕様が採用され始めたため、特開２０１０−２６１２３２号のように、前記支持金具の垂下部に間隙に配置する薄帯鋼板を支持する支持片を形成した金具が開示されている。【０００３】  上記従来の方法において、特開２０１０−２６１２３２号では、支持金具の垂下部に間隙に配置する薄帯鋼板を支持する支持片を形成した金具が開示されているが、この支持片は薄帯鋼板を載置して支持するためのものであり、固定することができない。すなわち、地震等により建物に層間変位が生じ、外壁とコンクリートスラブの間隙の幅に一時的にでも変位が生じた場合に薄帯鋼板にズレや隙間が生じる場合があり、それらの原因が耐火性能に影響を及ぼす可能性あるなどの問題点があった。
【先行技術文献】
【特許文献】
【０００４】
【特許文献１】実開平０４−１１１８５７号
【特許文献２】実開平０６−６７６２８号
【特許文献３】特開２００２−２４２３３４号
【特許文献４】特開２０１０−２６１２３２号
【発明の概要】
【発明が解決しようとする課題】
【０００５】  この発明は上記従来の課題に鑑みなされたもので、その目的は、外壁材とコンクリートスラブとの間隙に配置する薄帯鋼板を安定して配置できると共に、強固に固定するための固定金具を提供することにある。
【課題を解決するための手段】
【０００６】  その手段として、本発明は、外壁材とコンクリートスラブとの間隙に配置し、耐火用層間ふさぎとして使用する薄帯鋼板を固定するための固定金具であり、前記コンクリートスラブの上面に掛止する掛止部と、該掛止部から前記コンクリートスラブの側面に沿う垂下部と、該垂下部から斜め上方に延伸して前記外壁材に弾性的に当接する支持部とを備え、前記掛止部、前記垂下部、前記支持部が薄鋼板により一体的に折曲げ加工して一体的に形成されており、前記支持部の先端には前記薄帯鋼板を載せるための載置片と、前記薄帯鋼板を固定するための押え片を設けた。
【発明の効果】
【０００８】  本発明の耐火用層間ふさぎ用の固定金具によれば、コンクリートスラブの上面に掛止する掛止部と、該掛止部から前記コンクリートスラブの側面に沿う垂下部と、該垂下部から斜め上方に延伸して前記外壁材に弾性的に当接する支持部とを薄鋼板により一体的に折曲げ加工して形成したため、外壁材とコンクリートスラブの間隙に圧入することで金具自体を所定の高さ位置に固定することができる。
さらに、支持部の先端に薄帯鋼板を載せるための載置片を設けたことで、薄帯鋼板を安定して載置することができると共に、押え片を設けたことで確実に固定することができる。
すなわち、火災発生時に下階からの上昇気流によって薄帯鋼板が浮き上がってズレないようにして耐火性能を確実に保持することができるなど、上記従来の課題を解消することができる。
【図面の簡単な説明】
【０００９】
【図１】本発明の実施形態を示す斜視図である。
【図２】本発明の実施形態を示す側面図である。
【図３】本発明の実施形態の使用状態を示す断面図である。
【図４】本発明の実施形態の使用状態を示す斜視図である。
【発明を実施するための形態】
【００１０】  本発明の実施の形態を図面により詳細に説明する。
図１は本発明の耐火用層間ふさぎ用の固定金具の実施形態を示す斜視図、図２は実施形態を示す側面図である。
図３に示すように、１はコンクリートスラブＡの上方Ａ１から側面Ａ２に垂下されるように架設され、外壁材ＢとコンクリートスラブＡとの間隙に挿入される薄帯鋼板Ｃを支持する固定金具である。
図１に示すように、１０は固定金具１の掛止部であり、コンクリートスラブの上面Ａ１に掛止させて、固定金具１自体の下方への沈みを防止するものである。
１１は該掛止部１０からコンクリートスラブＡの側面Ａ２に沿って垂下した垂下部であり、１２は垂下部１１の下端から斜め上方に延伸した支持部である。
垂下部１１と支持部１２とで略レ字状になっており、支持部１２の先端１２ａが外壁材に弾性的に当接すると共に、前記垂下部１１がコンクリートスラブＡの側面Ａ２に当接して反力となることで、コンクリートスラブと外壁材の隙間に固定金具１を固定することができる。
１３、１３は支持部１２の先端１２ａに設けた載置部、１４は押え片であり、支持部１２の先端１２ａに３つの突出した片を形成して、両側の２片を内側に向かって屈曲させて載置部１３、１３とし、中央の１片を前記垂下部１１とほぼ平行になるように形成して押え片１４とする。
押え片１４の先端にはドライバー等の工具で押える際に工具の先端が係るように係止溝１５を形成する。
また、これらの構成は適宜幅に形成した薄鋼板により一体的に折曲げ加工して形成したものである。
【００１１】  次に本発明の実施形態の使用方法を、図３、図４を用いて説明する。
コンクリートスラブＡと外壁材Ｂの間隙に沿って上方から本発明の固定金具の垂下部１１をコンクリートスラブＡの側面Ａ２、及び、支持部１２を外壁材Ｂにそれぞれ沿った状態で圧入し、コンクリートスラブＡの上面に掛止部１０を掛けた状態で固定する。同様にして、コンクリートスラブＡと外壁材Ｂの間隙に沿って本発明の固定金具を複数個、所定の間隔で設置する。
次に複数個、所定の間隔で配置された固定金具の載置部１３に、薄帯鋼板Ｃの長手方向の一端をそれぞれ載置し、他端は垂下部１１側に立てかけた状態で配置をする。
更に、各固定金具の押え片１４を、係止溝１５にドライバーの先端を引っ掛けて下方向へ折り曲げて押さえることで、薄帯鋼板Ｃ全体を確実に固定することができる。
薄帯鋼鈑Ｃの設置後、その上方の空間にロックウールＤを充填して層間ふさぎの工程を完了する。
本発明によれば、薄帯鋼板Ｃを載置片１３と押え片１４を挟んで固定しているので、固定金具１に薄帯鋼板Ｃを、確実に固定でき、火災発生時に下階からの上昇気流によって薄帯鋼板Ｃが浮き上がって、ずれることを抑制でき、耐火性能を確実に保持することができる。
また、本発明では支持部１２の先端１２ａを折り曲げて載置片１３と押え片１４を形成することで、この折り曲げた部分が外壁材Ｂに接触するので、支持部１２の先端１２ａのエッジが外壁材Ｂに接触する場合に比較して、コンクリートスラブＡと外壁材Ｂの間隙の幅の変動に追従して、支持部１２が上下動し易い。薄帯鋼板Ｃの外壁材側の端部Ｃ１が、載置片１３と押え片１４で挟んで固定され、薄帯鋼板Ｃのコンクリートスラブ側の端部Ｃ２が、垂下部１１に当接しているので、コンクリートスラブＡと外壁材Ｂの間隙の幅に変位が生じた場合に、間隙の幅の変位に滑らかに追従して薄帯鋼板Ｃが傾きを変化させることができるので、薄帯鋼板ＣがコンクリートスラブＡと外壁材Ｂの間隙を素早く塞ぐことができる。
具体的には、コンクリートスラブＡと外壁材Ｂの間隙の幅に変位が生じた場合に、支持部１２の先端１２ａが外壁材Ｂの変位に応じて上下動する。そして支持部１２の先端１２ａの上下動に追従して、薄帯鋼板Ｃの外壁材側の端部Ｃ１が上下動する。
特に、薄帯鋼板Ｃのコンクリートスラブ側の端部Ｃ２が，コンクリートスラブではなく、垂下部１１に部分的に接触しているだけであり、外壁材側の端部Ｃ１が、外壁材Ｂではなく、支持部１２の先端１２ａに部分的に接触しているだけであり、どちらにも部分的に接触しているだけであり、コンクリートスラブＡが外壁材Ｂの間隙の幅に一時的にでも変位が生じた場合に、薄帯鋼板Ｃが追従して素早く傾きを変化できる。また、薄帯鋼板Ｃのコンクリートスラブ側の端部Ｃ２が、垂下部１１に当接しているだけであり、薄帯鋼板Ｃのコンクリートスラブ側の端部Ｃ２も垂下部１１の表面を滑って上下動することができるので、支持部１２の先端１２ａの上下動によって薄帯鋼板Ｃの外壁材側の端部Ｃ１が上下動した時に、薄帯鋼板Ｃのコンクリートスラブ側の端部Ｃ２も上下方向に滑らかに追従して移動しやすくなっている。
本実施例では適宜幅に形成した薄鋼板から、掛止部１０、垂下部１１、支持部１２及び載置片１３及び押え片１４を一体的に折り曲げ加工して、形成したものであり、容易に固定金具１を製造できる。
本実施例では、両側の２片を載置片１３とし、中央の１片を押え片１４としたが、逆にしてもよい。また、載置片１３と押え片１４とで３つの片としたが、この数に限られるものではない。
押え片１４の先端の係止溝１５はドライバー等の工具で押え片１４を押さえることが容易にできれば良いものであり、この構造に限られない。
なお、薄帯鋼板Ｃのコンクリートスラブ側の端部Ｃ２が垂下部１１に接触する部分を接着テープなどで固定しても良い。なおこの場合でも、コンクリートスラブＡと外壁材Ｂとの間隙の幅は、地震などで一時的にでも変動する場合があり、このような変動に対しても、本発明の固定金具は上記で述べたような優れた効果を発揮できる。
【符号の説明】
【００１２】  １    固定金具
１０  掛止部
１１  垂下部
１２  支持部
１３  載置部
１４  押え片
１５  係止溝
Ａ    コンクリートスラブ
Ｂ    外壁材
Ｃ    薄帯鋼板
Ｄ    ロックウール